(57)【要約】【課題】初心者であっても容易に特殊再生操作を行うことが可能な再生制御装置、再生制御装置の制御方法およびプログラムを提供する。【解決手段】本発明の再生制御装置を適用した再生装置１は、楽曲の再生状況を示す楽曲イメージと、楽曲に対し特殊再生操作を行うための複数の特殊再生ポインタを表示する表示部１２０と、複数の特殊再生ポインタを操作する操作部１３０と、操作部１３０の操作に応じて楽曲の再生制御を行う再生制御部１４０と、を備え、再生制御部１４０は、楽曲イメージと各特殊再生ポインタの位置関係に応じて、各特殊再生ポインタに対応した異なる特殊再生の制御パラメータを可変する。【選択図】図２
2016038538.tif 000002
【特許請求の範囲】
【請求項１】
楽曲の再生状況を示す楽曲イメージと、前記楽曲に対し特殊再生操作を行うための特殊再生ポインタと、を表示する表示部と、
前記特殊再生ポインタを操作する操作部と、
前記操作部の操作に応じて、前記楽曲の再生制御を行う再生制御部と、を備え、
前記再生制御部は、前記楽曲イメージと前記特殊再生ポインタの位置関係に応じて、特殊再生の制御パラメータを可変することを特徴とする再生制御装置。
【請求項２】
前記表示部は、複数の前記特殊再生ポインタを表示し、
前記再生制御部は、前記楽曲イメージと各特殊再生ポインタの位置関係に応じて、各特殊再生ポインタに対応した異なる特殊再生の制御パラメータを可変することを特徴とする請求項１に記載の再生制御装置。
【請求項３】
前記操作部は、ジェスチャーコントローラーであり、ジェスチャーの種類に応じて操作対象となる前記特殊再生ポインタを可変することを特徴とする請求項２に記載の再生制御装置。
【請求項４】
前記楽曲イメージは、楽曲波形であり、
前記複数の特殊再生ポインタのうち少なくとも１の特殊再生ポインタは、前記楽曲波形の時間軸上の位置に応じて、前記特殊再生の制御パラメータが可変されることを特徴とする請求項２または３に記載の再生制御装置。
【請求項５】
前記複数の特殊再生ポインタのうち少なくとも１の特殊再生ポインタは、前記楽曲波形の時間軸に直交する軸上の位置に応じて、前記特殊再生の制御パラメータが可変されることを特徴とする請求項４に記載の再生制御装置。
【請求項６】
前記表示部は、複数の楽曲に対応した複数の前記楽曲波形を表示すると共に、再生操作の対象となる楽曲を選択するための楽曲選択ポインタをさらに表示し、
前記操作部は、前記楽曲選択ポインタをさらに操作し、
前記再生制御部は、各楽曲の前記楽曲波形と前記楽曲選択ポインタとの位置関係に応じて、再生操作の対象となる楽曲を可変することを特徴とする請求項４または５に記載の再生制御装置。
【請求項７】
前記表示部は、前記複数の楽曲波形を、先端または終端が近接し他端が離間するように放射線状に配置し、
前記再生制御部は、前記楽曲選択ポインタが接触する１以上の前記楽曲波形に対応する１以上の楽曲を、再生操作の対象とすることを特徴とする請求項６に記載の再生制御装置。
【請求項８】
楽曲の再生状況を示す楽曲イメージと、前記楽曲に対し特殊再生操作を行うための特殊再生ポインタと、を表示する表示ステップと、
前記特殊再生ポインタの操作に応じて、前記楽曲の再生制御を行う再生制御ステップと、を実行し、
前記再生制御ステップは、前記楽曲イメージと前記特殊再生ポインタの位置関係に応じて、特殊再生の制御パラメータを可変することを特徴とする再生制御装置の制御方法。
【請求項９】
コンピューターに、請求項８に記載の再生制御装置の制御方法における各ステップを実行させるためのプログラム。
【発明の詳細な説明】
【技術分野】
【０００１】
本発明は、楽曲の再生制御を行う再生制御装置、再生制御装置の制御方法およびプログラムに関する。
【背景技術】
【０００２】
従来、この種の技術として、例えば特許文献１が知られている。特許文献１には、ＤＪプレーヤーに設けられたジョグダイヤルやボタン群を用いて、スクラッチやリバースなどの特殊再生を行う方法が開示されている。
【先行技術文献】
【特許文献】
【０００３】
【特許文献１】国際公開第２０１２／００７９９０号
【発明の概要】
【発明が解決しようとする課題】
【０００４】
ところで、特許文献１に開示されているようなＤＪプレーヤーは、一般的にプロのＤＪにより用いられる。そのため、知識のない初心者には敷居が高い。特に、ＤＪ特有の操作である特殊再生操作を使いこなすのは困難である。
【０００５】
本発明は、上記の問題点に鑑み、初心者であっても容易に特殊再生操作を行うことが可能な再生制御装置、再生制御装置の制御方法およびプログラムを提供することを目的とする。
【課題を解決するための手段】
【０００６】
本発明の再生制御装置は、楽曲の再生状況を示す楽曲イメージと、楽曲に対し特殊再生操作を行うための特殊再生ポインタと、を表示する表示部と、特殊再生ポインタを操作する操作部と、操作部の操作に応じて、楽曲の再生制御を行う再生制御部と、を備え、再生制御部は、楽曲イメージと特殊再生ポインタの位置関係に応じて、特殊再生の制御パラメータを可変することを特徴とする。
【０００７】
上記の再生制御装置において、表示部は、複数の特殊再生ポインタを表示し、再生制御部は、楽曲イメージと各特殊再生ポインタの位置関係に応じて、各特殊再生ポインタに対応した異なる特殊再生の制御パラメータを可変することを特徴とする。
【０００８】
上記の再生制御装置において、操作部は、ジェスチャーコントローラーであり、ジェスチャーの種類に応じて操作対象となる特殊再生ポインタを可変することを特徴とする。
【０００９】
上記の再生制御装置において、楽曲イメージは、楽曲波形であり、複数の特殊再生ポインタのうち少なくとも１の特殊再生ポインタは、楽曲波形の時間軸上の位置に応じて、特殊再生の制御パラメータが可変されることを特徴とする。
【００１０】
上記の再生制御装置において、複数の特殊再生ポインタのうち少なくとも１の特殊再生ポインタは、楽曲波形の時間軸に直交する軸上の位置に応じて、特殊再生の制御パラメータが可変されることを特徴とする。
【００１１】
上記の再生制御装置において、表示部は、複数の楽曲に対応した複数の楽曲波形を表示すると共に、再生操作の対象となる楽曲を選択するための楽曲選択ポインタをさらに表示し、操作部は、楽曲選択ポインタをさらに操作し、再生制御部は、各楽曲の楽曲波形と楽曲選択ポインタとの位置関係に応じて、再生操作の対象となる楽曲を可変することを特徴とする。
【００１２】
上記の再生制御装置において、表示部は、複数の楽曲波形を、先端または終端が近接し他端が離間するように放射線状に配置し、再生制御部は、楽曲選択ポインタが接触する１以上の楽曲波形に対応する１以上の楽曲を、再生操作の対象とすることを特徴とする。
【００１３】
本発明の再生制御装置の制御方法は、楽曲の再生状況を示す楽曲イメージと、楽曲に対し特殊再生操作を行うための特殊再生ポインタと、を表示する表示ステップと、特殊再生ポインタの操作に応じて、楽曲の再生制御を行う再生制御ステップと、を実行し、再生制御ステップは、楽曲イメージと特殊再生ポインタの位置関係に応じて、特殊再生の制御パラメータを可変することを特徴とする。
【００１４】
本発明のプログラムは、上記の再生制御装置の制御方法における各ステップを実行させることを特徴とする。
【図面の簡単な説明】
【００１５】
【図１】再生装置のハードウェア構成を示すブロック図である。
【図２】再生装置の機能構成を示すブロック図である。
【図３】第１実施形態に係る楽曲操作ＧＵＩの一例を示す図である。
【図４】特殊再生ポインタの操作方法を示す図である。
【図５】第２実施形態に係る楽曲操作ＧＵＩの一例を示す図である。
【図６】楽曲選択ポインタの操作方法を示す図である。
【図７】変形例に係る楽曲選択ポインタの操作方法を示す図である。
【発明を実施するための形態】
【００１６】
［第１実施形態］
以下、本発明の一実施形態に係る再生制御装置、再生制御装置の制御方法およびプログラムについて、添付図面を参照しながら詳細に説明する。図１は、本発明の再生制御装置を適用した再生装置１のハードウェア構成を示すブロック図である。再生装置１は、制御機構１１、入力インターフェース１２、モーションセンサー１３、ディスプレイ１４およびスピーカー１５を備える。
【００１７】
制御機構１１は、再生装置１内の各部を統括的に制御する。また、ＤＳＰ（Digital  Signal  Processor）を含み、デジタル化された音声信号に対し音声処理を行う。入力インターフェース１２は、記憶媒体Ｍから楽曲を再生するための音声信号を入力する。記憶媒体Ｍとしては、ＵＳＢメモリーやＳＤメモリーカードなどが考えられる。なお、入力インターフェース１２に代えて、光ディスクを読み取る光ディスクドライブを搭載しても良い。また、再生装置１を、インターネット等のネットワークと接続し、ネットワーク上のサーバーから音声信号を取得しても良い。
【００１８】
モーションセンサー１３は、ユーザーの体の動きを検出するものであり、本実施形態では主に楽曲の操作（特殊再生操作）を行うために用いる。例えば、手や指など体の一部の動き、両手や両足など複数の部位による動きの組み合わせを検出することが考えられる。また、目や口など顔の一部の動きを検出しても良い。また、検出方法は、カメラを用いても良いし、赤外線センサーなど各種センサーを用いても良い。ディスプレイ１４は、図３等に示すような楽曲操作用のＧＵＩ（以下、「楽曲操作ＧＵＩ」と称する）をはじめ各種情報を表示する。スピーカー１５は、楽曲の再生音を出力する。
【００１９】
なお、再生装置１の変形例として、ディスプレイ１４に代えてタッチパネルを搭載し、モーションセンサー１３を省略した構成としても良い。また、モーションセンサー１３に代えて、マウス等のポインティングデバイスを搭載したり、マイクを搭載してユーザーが発する音声で操作を行う構成としても良い。
【００２０】
次に、図２を参照し、再生装置１の機能構成について説明する。再生装置１は、主な機能構成として、音声信号入力部１１０、表示部１２０、操作部１３０、再生制御部１４０および音声信号出力部１５０を備える。請求項における「再生制御装置」は、これらのうち表示部１２０、操作部１３０および再生制御部１４０に相当する。
【００２１】
音声信号入力部１１０は、入力インターフェース１２を主要部とし、記憶媒体Ｍから音声信号を入力する。
【００２２】
表示部１２０は、ディスプレイ１４を主要部とし、楽曲操作ＧＵＩを表示する。具体的には、楽曲の再生状況を示す楽曲波形３０（楽曲イメージ）と、楽曲に対し特殊再生操作を行うための特殊再生ポインタＰａと、を表示する（図３参照）。本実施形態では、異なる特殊再生に対応する２つの特殊再生ポインタＰａ１，Ｐａ２を表示する。
【００２３】
ここで、特殊再生とは、スクラッチ（再生位置を素早く前後に移動させるもの）、エコー／リバーブ（残響音を作り出すもの）、フィルタ（原音のＢＰＭ値に連動して、原音と不鮮明な音との間で音を変化させるもの）、フランジャー／ディレイ／（時間のずれた音を加えることでフランジ効果／ディレイ効果を作り出すもの）、フェイザー（位相のずれた音を加えることでフェイズ効果を作り出すもの）、クラッシュ（ノイズ感または音のギザギザ感を作り出すもの）、ループ（指定した区間を繰り返し再生するもの）など、ＤＪ機器においてエフェクトと称されるものを含む。つまり、特殊再生ポインタＰａを用いた特殊再生操作により、再生中の楽曲に対してエフェクト（効果音）が付与される。本実施形態では、特殊再生ポインタＰａ１が特殊再生「スクラッチ」に対応し、特殊再生ポインタＰａ２が特殊再生「エコー」に対応している場合を例示する。
【００２４】
操作部１３０は、モーションセンサー１３を主要部とし、表示部１２０（楽曲操作ＧＵＩ）に表示された特殊再生ポインタＰａを操作する。つまり、操作部１３０は、ジェスチャーコントローラーとして機能する。また、ジェスチャーの種類に応じて操作対象となる特殊再生ポインタＰａを可変する。本実施形態では、モーションセンサー１３に翳した手の形状（指の開き方、本数など）によって操作対象となる特殊再生ポインタＰａを使い分けるものとする。また、両手を用いることによって、２つの特殊再生ポインタＰａを同時に操作可能とする。
【００２５】
再生制御部１４０は、楽曲波形３０と各特殊再生ポインタＰａ１，Ｐａ２の位置関係に応じて、各特殊再生ポインタＰａ１，Ｐａ２に対応する特殊再生の制御パラメータを可変する。例えば、「スクラッチ」に対応する特殊再生ポインタＰａ１は、楽曲波形３０の時間軸上の位置に応じて特殊再生の制御パラメータが可変される。「スクラッチ」の制御パラメータとは、時間軸上のスクラッチ位置を含む。つまり、特殊再生ポインタＰａ１が時間軸上のどの位置で操作されたかに応じて、再生されるスクラッチ音が可変する。一方、「エコー」に対応する特殊再生ポインタＰａ２は、楽曲波形３０の時間軸に直交する軸上の位置に応じて、特殊再生の制御パラメータが可変される。「エコー」の制御パラメータとは、残響音の大きさおよび長さを含む。つまり、特殊再生ポインタＰａ２が時間軸と直交する軸上のどの位置に存在するかに応じて、再生されるエコー音が可変する。
【００２６】
音声信号出力部１５０は、スピーカー１５を主要部とし、再生制御部１４０により制御された再生音（特殊再生操作による効果音を含む音声信号）を出力する。
【００２７】
次に、図３，図４を参照し、再生制御部１４０による再生制御の具体例を説明する。図３に示すように、本実施形態の楽曲操作ＧＵＩは、４つの楽曲に対応する４つの楽曲波形３０（３１，３２，３３，３４）を表示する。４つの楽曲波形３０は、その終端（図示、奥側）が近接し先端（図示、手前側）が離間するように放射線状に配置される。また、遠近感（奥行き感）を出すため、先端側が幅広に、また終端側が幅狭に表示される。また、特殊再生ポインタＰａの３次元的な操作を可能とすべく、各楽曲波形３０とその配置が立体的に表示される。同図の場合、ユーザーが上から見下ろすような角度で各楽曲波形３０が表現されている。
【００２８】
各楽曲波形３０は、楽曲１曲分の波形を示しており、楽曲再生に伴って、手前側から奥側に向かって流れるように移動する。また、各楽曲波形３０上には、波形の極大点および極小点が黒いドット３６で示されると共に、各楽曲の拍位置が所定のマーク３７で示される。また、図３の例では、２つの特殊再生ポインタＰａ１，Ｐａ２が、いずれも楽曲波形３２上に配置されている。本実施形態では、特殊再生ポインタＰａ１，Ｐａ２がどの楽曲波形３０上にあるか（どの楽曲波形３０に近接しているか）に応じて、再生操作の対象となる楽曲が決定される。したがって、同図の例の場合、特殊再生ポインタＰａ１，Ｐａ２の操作に基づく再生操作の対象は、楽曲波形３２に対応する楽曲となる。
【００２９】
一方、各楽曲波形３０の手前側（図示、下側）には、各楽曲の楽曲情報４１，４２，４３，４４を示す楽曲情報領域４０が配置されている。楽曲情報４１，４２，４３，４４としては、各楽曲に対応するアートワーク、楽曲を識別するための楽曲ＩＤの他、楽曲タイトルやアーティストなどの楽曲付加情報（メタデータ）が表示される。
【００３０】
図４は、特殊再生ポインタＰａ１，Ｐａ２の操作方法を示す図である。上記のとおり、「スクラッチ」に対応する特殊再生ポインタＰａ１は、楽曲波形３０の時間軸上の位置に応じて特殊再生の制御パラメータが可変される。同図において、時間軸はＹ軸に相当する。したがって、特殊再生ポインタＰａ１をＹ軸に沿って素早く前後させることにより、スクラッチ操作が可能となる。また、Ｙ軸上における特殊再生ポインタＰａ１の移動開始位置と、特殊再生ポインタＰａ１の移動終了位置に応じて、スクラッチ区間が定まる。また、特殊再生ポインタＰａ１の移動速度に応じて、スクラッチのスピード感が可変する。
【００３１】
一方、「エコー」に対応する特殊再生ポインタＰａ２は、楽曲波形３０の時間軸に直交する軸上の位置に応じて、特殊再生の制御パラメータが可変される。同図において、時間軸に直交する軸はＺ軸に相当する。Ｚ軸は、楽曲波形３０を貫通するように設けられているため、特殊再生ポインタＰａ２が楽曲波形３０に近づいた場合はエコー感が強くなり（残響音が大きく、または長くなり）、特殊再生ポインタＰａ２が楽曲波形３０から離れた場合はエコー感が弱くなる。
【００３２】
なお、特殊再生ポインタＰａ２のＺ軸上の位置だけでなく、Ｙ軸上の位置やＸ軸（Ｙ軸およびＺ軸に直交する軸）上の位置に応じて、「エコー」または「エコー」以外の特殊再生の制御パラメータを可変しても良い。
【００３３】
以上説明したとおり、第１実施形態の楽曲操作ＧＵＩによれば、特殊再生ポインタＰａを楽曲波形３０上で動かすことにより、初心者であっても容易に特殊再生操作を行うことができる。また、特殊再生ポインタＰａを、どの楽曲波形３０上で操作するかに応じて、操作対象となる楽曲を容易に可変することができる。
【００３４】
なお、上記の実施形態では、楽曲の再生状況を示す楽曲イメージとして楽曲波形３０を表示したが、楽曲波形３０に代えて、楽曲が再生中か非再生中かを示す画像（アイコン）、再生中の楽曲の現時点の音量・特殊再生の有無・特殊再生の制御パラメータを示す画像、などを表示しても良い。
【００３５】
また、ユーザーの好みに応じて、各楽曲波形３０のＺ軸方向の仰角、Ｘ軸およびＹ軸から成る平面上の配置角度や各楽曲波形３０間の間隔（先端または後端における間隔）、特殊再生ポインタＰａ１，Ｐａ２の形状／大きさ、特殊再生の種類と特殊再生ポインタＰａ１，Ｐａ２の対応付け、ジェスチャーと特殊再生ポインタＰａ１，Ｐａ２の対応付け、などについて、任意に設定可能としても良い。
【００３６】
また、上記の実施形態では、２つの特殊再生ポインタＰａ１，Ｐａ２を操作する場合を例示したが、１つであっても良いし、３つ以上であっても良い。
【００３７】
また、上記の実施形態では、特殊再生ポインタＰａを、どの楽曲波形３０上で操作するかに応じて操作対象となる楽曲を可変したが、表示されている複数の楽曲波形３０を同時に操作可能としても良い。この場合、複数の楽曲波形３０のうち任意の楽曲波形３０に対する特殊再生ポインタＰａの操作位置に応じて、複数の楽曲波形３０に対応する複数の楽曲に対し、特殊再生の制御パラメータを可変することができる。
【００３８】
［第２実施形態］
次に、図５〜図７を参照し、本発明の第２実施形態について説明する。本実施形態の楽曲操作ＧＵＩは、特殊再生の対象となる楽曲を選択するための楽曲選択ポインタＰｂを別途設けたことを特徴とする。以下、第１実施形態と異なる点のみ説明する。なお、本実施形態において、第１実施形態と同様の構成部分については同様の符号を付し、詳細な説明を省略する。また、第１実施形態と同様の構成部分について適用される変形例は、本実施形態についても同様に適用される。
【００３９】
本実施形態に係る再生装置１の機能構成は、第１実施形態（図２参照）と同様である。但し、本実施形態の表示部１２０は、楽曲波形３０および特殊再生ポインタＰａと共に、再生操作の対象となる楽曲を選択するための楽曲選択ポインタＰｂを表示する（図５参照）。また、本実施形態の操作部１３０は、特殊再生ポインタＰａおよび楽曲選択ポインタＰｂを操作する。なお、楽曲選択ポインタＰｂは、特殊再生ポインタＰａとは異なるジェスチャーによって操作可能である。また、意図的に、楽曲選択ポインタＰｂと特殊再生ポインタＰａ１または特殊再生ポインタＰａ２のジェスチャーを、同じジェスチャーとしても良い。
【００４０】
また、本実施形態の再生制御部１４０は、各楽曲の楽曲波形３０と楽曲選択ポインタＰｂとの位置関係に応じて、再生操作の対象となる楽曲を可変する。具体的には、楽曲選択ポインタＰｂが接触する１以上の楽曲波形３０に対応する１以上の楽曲を、再生操作の対象とする。
【００４１】
図５は、第２実施形態に係る楽曲操作ＧＵＩの一例を示す図である。同図は、楽曲選択ポインタＰｂが接触している楽曲波形３４に対応する楽曲が再生操作の対象となっており、当該楽曲に対し、特殊再生ポインタＰａ１，Ｐａ２による特殊再生操作が行われている状態を示している。なお、同図では、特殊再生ポインタＰａ１，Ｐａ２が楽曲波形３２に接触しているが、別の楽曲波形３１，３３，３４上で操作を行っても良い。また、特殊再生ポインタＰａ１と特殊再生ポインタＰａ２を異なる楽曲波形３０上で操作しても良い。
【００４２】
図６は、楽曲選択ポインタＰｂの操作方法を示す図である。例えば、実線で示す楽曲選択ポインタＰｂ−１の場合、楽曲波形３４に対応する楽曲が再生操作の対象となる。また、点線で示す楽曲選択ポインタＰｂ−２の場合、楽曲波形３３，３４に対応する２つの楽曲が再生操作の対象となる。また、点線で示す楽曲選択ポインタＰｂ−３の場合、楽曲波形３２，３３，３４に対応する３つの楽曲が再生操作の対象となる。さらに、点線で示す楽曲選択ポインタＰｂ−４の場合、楽曲波形３１，３２，３３，３４に対応する４つの楽曲が再生操作の対象となる。
【００４３】
このように、楽曲選択ポインタＰｂの位置を移動させることで、容易に操作対象となる楽曲を可変することができる。なお、同図では、楽曲波形３４に接触する位置から楽曲選択ポインタＰｂを移動させていく状態を示しているが、開始点となる楽曲波形３０は任意である。また、複数の楽曲が再生操作の対象となる場合は、楽曲のＢＰＭ（Beats  Per  Minute）が同期して再生される。
【００４４】
図７は、変形例に係る楽曲選択ポインタＰｂの操作方法を示す図である。本例では、楽曲波形３０の遠近感（Ｙ軸上の位置）に合わせて、楽曲選択ポインタＰｂの大きさを可変している。つまり、楽曲選択ポインタＰｂが手前側に存在する場合より奥側に存在する場合の方が、楽曲選択ポインタＰｂの大きさが小さくなっている。これにより、ユーザーは、遠近感をより明確に感じられると共に再生操作の対象となる楽曲を選択しやすいといったメリットがある。
【００４５】
なお、特に図示しないが、特殊再生ポインタＰａについても、楽曲波形３０の遠近感に合わせて、その大きさを可変しても良い。
【００４６】
以上説明したとおり、第２実施形態に係る楽曲操作ＧＵＩによれば、楽曲選択ポインタＰｂを移動させるだけで、特殊再生の対象となる楽曲を容易に選択することができる。
【００４７】
なお、上記の実施形態では、楽曲選択ポインタＰｂを１のみ図示したが、複数の楽曲選択ポインタＰｂを配置しても良い。
【００４８】
また、上記の実施形態では、楽曲選択ポインタＰｂが接触する１以上の楽曲波形３０に対応する１以上の楽曲を再生操作の対象としたが、接触するか否かではなく、近接したか否かに応じて、再生操作の対象を決定しても良い。
【００４９】
また、楽曲波形３０の配置も、図５等に示したものに限らず、他の配置でも良い。また、楽曲波形３０に限らず、各楽曲の再生状況を示す各楽曲イメージを配置し、各楽曲イメージに接触するか否か、または近接したか否かに応じて、再生操作の対象を決定しても良い。
【００５０】
以上、２つの実施形態を示したが、各実施形態に示した再生装置１の各構成要素をプログラムとして提供することが可能である。また、そのプログラムを各種記録媒体（ＣＤ−ＲＯＭ、フラッシュメモリー等）に格納して提供することも可能である。すなわち、コンピューターを再生装置１の各構成要素として機能させるためのプログラム、およびそれを記録した記録媒体も、本発明の権利範囲に含まれる。その他、再生装置１の再生制御部１４０をクラウドコンピューティングで実現するなど、本発明の要旨を逸脱しない範囲で、適宜変更が可能である。
【符号の説明】
【００５１】
１：再生装置  １１：制御機構  １２：入力インターフェース  １３：モーションセンサー  １４：ディスプレイ  １５：スピーカー  ３０（３１〜３４）：楽曲波形  ４０：楽曲情報領域  ４１〜４４：楽曲情報  １１０：音声信号入力部  １２０：表示部  １３０：操作部  １４０：再生制御部  １５０：音声信号出力部  Ｍ：記憶媒体  Ｐａ：特殊再生ポインタ  Ｐｂ：楽曲選択ポインタ
【図１】
2016038538.tif 000003
【図２】
2016038538.tif 000004
【図３】
2016038538.tif 000005
【図４】
2016038538.tif 000006
【図５】
2016038538.tif 000007
【図６】
2016038538.tif 000008
【図７】
2016038538.tif 000009